(57)【要約】【課題】映像品質の劣化を軽減し、動的ウィンドウ制御の導入を容易にする。【解決手段】インタレース信号をプログレッシブ信号に変換するＩ／Ｐ変換の機能を有する映像表示装置において、入力された映像信号に拡大又は縮小のリサイズ処理を施す前置リサイザ４４と、リサイズ処理が施された画像データを蓄積するフレームメモリ４５と、蓄積された画像データを元に映像信号の時間的推移を考慮に入れたＩ／Ｐ変換を行う三次元Ｉ／Ｐ変換器４８と、蓄積された画像データを元に映像信号の時間的推移を考慮しないＩ／Ｐ変換を行う二次元Ｉ／Ｐ変換器４９と、表示デバイス上にＩ／Ｐ変換の結果を表示するために必要なフォーマット情報としてウィンドウサイズ及びオーバースキャン率を入力する入力装置５３，５４とを設け、フォーマット情報の連続的な変化を検出した場合には、三次元Ｉ／Ｐ変換器４８の出力結果よりも二次元Ｉ／Ｐ変換器４９の出力結果を選択する。【選択図】図１
2010252187.tif 000002
【特許請求の範囲】
【請求項１】
インタレース信号をプログレッシブ信号に変換するＩ／Ｐ変換の機能を有する映像表示装置であって、
入力された映像信号に拡大又は縮小のリサイズ処理を施すリサイザと、
前記リサイズ処理が施された画像データを蓄積するフレームメモリと、
前記フレームメモリに蓄積された画像データを元に前記映像信号の時間的推移を考慮に入れたＩ／Ｐ変換を行う三次元Ｉ／Ｐ変換器と、
前記フレームメモリに蓄積された画像データを元に前記映像信号の時間的推移を考慮しないＩ／Ｐ変換を行う二次元Ｉ／Ｐ変換器と、
表示デバイス上に前記Ｉ／Ｐ変換の結果を表示するために必要なフォーマット情報の入力手段とを備え、
前記フォーマット情報の連続的な変化を検出した場合には、前記三次元Ｉ／Ｐ変換器の出力結果よりも前記二次元Ｉ／Ｐ変換器の出力結果を選択することを特徴とする映像表示装置。
【請求項２】
請求項１記載の映像表示装置において、
前記フォーマット情報は、前記表示デバイス上のウィンドウサイズであることを特徴とする映像表示装置。
【請求項３】
請求項１記載の映像表示装置において、
前記フォーマット情報は、前記表示デバイスにおけるオーバースキャン率であることを特徴とする映像表示装置。
【請求項４】
請求項１記載の映像表示装置において、
前記フォーマット情報は、前記リサイザにおけるリサイズ率であることを特徴とする映像表示装置。
【請求項５】
請求項１〜４のいずれか１項に記載の映像表示装置において、
前記フォーマット情報の連続的な変化を検出した場合に前記二次元Ｉ／Ｐ変換器の出力結果を選択するセレクタを更に備えたことを特徴とする映像表示装置。
【請求項６】
請求項１〜４のいずれか１項に記載の映像表示装置において、
前記フォーマット情報の連続的な変化を検出した場合に前記二次元Ｉ／Ｐ変換器の出力結果と前記三次元Ｉ／Ｐ変換器の出力結果とのブレンド率を変更するブレンダを更に備えたことを特徴とする映像表示装置。
【請求項７】
請求項１〜４のいずれか１項に記載の映像表示装置において、
前記フォーマット情報の連続的な変化を検出した場合には、ノイズリダクションの制御方法を変更することを特徴とする映像表示装置。
【請求項８】
請求項１〜４のいずれか１項に記載の映像表示装置において、
前記フォーマット情報の連続的な変化を検出した場合には、前記フレームメモリの蓄積フレーム枚数を変更することを特徴とする映像表示装置。
【請求項９】
請求項１〜４のいずれか１項に記載の映像表示装置において、
前記フォーマット情報の連続的な変化を検出した場合には、前記フレームメモリへの書き込みアドレスの制御方法を変更することを特徴とする映像表示装置。
【発明の詳細な説明】
【技術分野】
【０００１】
本発明は、画像データを蓄積するフレームメモリを具備し、インタレース／プログレッシブ（Ｉ／Ｐ）変換やノイズリダクションを行う映像表示装置に関するものである。
【背景技術】
【０００２】
デジタルテレビジョン放送は種々のフォーマットの映像信号で行われているが、主に１０８０ｉ又は４８０ｉのインタレース信号が用いられている。一方、ＴＶ放送受像機の表示デバイスは従来のブラウン管に代わり液晶パネルが主流となっているが、液晶パネルは構造上プログレッシブ信号しか取り扱うことができないため、放送信号のデコードから表示までの間にＩ／Ｐ変換を行う必要がある。逐次走査された映像信号を補間する際、複数の画像フレームをフレームメモリに蓄積し、映像の時間的推移を考慮に入れて走査線を補間することにより、同一フィールド内の走査線を繰り返し出力する方法に対して良好な映像を得る三次元Ｉ／Ｐ変換が広く用いられている。特許文献１には、動き適応型のＩ／Ｐ変換が記載されている。
【０００３】
また、フレームメモリに蓄積された複数の画像における差分を用いることにより、三次元ノイズリダクションを適用することも広く行われている。
【０００４】
一方、近年のデジタルＴＶ放送受像機においては、表示画面の全域をテレビジョン放送映像の表示領域として用いる表示方法以外に、電子プログラムガイド（ＥＰＧ）や二画面表示等、テレビジョン映像の表示領域、すなわちウィンドウをリサイズして表示する表示方法も多用されている。
【０００５】
通常のＴＶ放送受像機では、放送映像の一部のみを選択的に拡大表示することにより映像信号周辺の不必要な映像情報を除去すること、すなわちオーバースキャンすることにより、映像品位の劣化を防止している。ＴＶ放送される映像には複数のアスペクト比が存在し、報道番組や映画等その種類によりユーザが重要視する映像上の部分が異なることから、オーバースキャン位置やオーバースキャン時の拡大率（オーバースキャン率）を選択できる機能を有するＴＶ放送受像機も存在する。加えて、ユーザの嗜好によりオーバースキャン位置及びオーバースキャン率を自由に調整することにより、映像の視認性を高める機能を有するＴＶ放送受像機も存在する。また、一画面表示と二画面表示との切り換えや文字放送表示やＥＰＧ画面への移行において、ウィンドウの位置及びウィンドウのサイズを動的に変更することにより、表示切り換え中であることを示す視覚効果を活用しているＴＶ放送受像機も存在する。以下、これらの画面制御を総称して動的ウィンドウ制御という。
【０００６】
特許文献２には、拡大縮小のための倍率係数を入力し、拡大縮小倍率に応じてＩ／Ｐ変換の判定パラメータを制御したうえで拡大縮小処理を行う技術が開示されている。
【先行技術文献】
【特許文献】
【０００７】
【特許文献１】特開２００４−７５６９号公報
【特許文献２】特開２００７−１９７０８号公報
【発明の概要】
【発明が解決しようとする課題】
【０００８】
オーバースキャンやウィンドウの移動／サイズ変更を行う場合、２系統の前置リサイザによる段階的なリサイズや、２系統のフレームメモリ上の映像信号の連続的なオーバースキャンが必要となる。このとき、映像信号の時間的推移を考慮に入れたＩ／Ｐ変換を行う三次元Ｉ／Ｐ変換器に対して、連続的なリサイズやオーバースキャンによる映像の動きが付加された映像信号が入力されることとなり、これは入力映像信号に本来含まれる動き情報の抽出を阻害する結果、三次元Ｉ／Ｐ変換器や動き検出装置に悪影響を及ぼすことになる。この結果、画面上のノイズやチラツキといったダメージが発生する場合があった。
【０００９】
同様に、フレームメモリに蓄積された過去の映像信号を用いてノイズリダクションを行う場合においても悪影響を与える。
【００１０】
本発明の目的は、映像品質の劣化を軽減して動的ウィンドウ制御の導入を容易にすることにある。
【課題を解決するための手段】
【００１１】
上記目的を達成するため、本発明は、インタレース信号をプログレッシブ信号に変換するＩ／Ｐ変換の機能を有する映像表示装置において、入力された映像信号に拡大又は縮小のリサイズ処理を施すリサイザと、リサイズ処理が施された画像データを蓄積するフレームメモリと、蓄積された画像データを元に映像信号の時間的推移を考慮に入れたＩ／Ｐ変換を行う三次元Ｉ／Ｐ変換器と、蓄積された画像データを元に映像信号の時間的推移を考慮しないＩ／Ｐ変換を行う二次元Ｉ／Ｐ変換器と、表示デバイス上にＩ／Ｐ変換の結果を表示するために必要なフォーマット情報の入力手段とを備え、フォーマット情報の連続的な変化を検出した場合には、三次元Ｉ／Ｐ変換器の出力結果よりも二次元Ｉ／Ｐ変換器の出力結果を選択することとしたものである。
【発明の効果】
【００１２】
本発明に係る映像表示装置は、フォーマット情報の監視により、映像信号に対する後天的なリサイズやウィンドウ操作による動き検出への弊害を軽減し、連続的なリサイズやウィンドウ操作が加えられた場合でも良好な映像品位を得ることができる。
【図面の簡単な説明】
【００１３】
【図１】本発明の実施形態に係る映像表示装置のブロック図である。
【発明を実施するための形態】
【００１４】
図１に示す映像表示装置は、ビデオデコーダ４１と、Ａ／Ｄ変換器４２と、符号４３〜５０及び５３〜５５で表された構成要素からなる第１ウィンドウ処理部と、符号５６〜６６で表された構成要素からなる第２ウィンドウ処理部と、互いに独立に制御された２系統の映像信号を１画面上に表示するための二画面合成装置５１と、二画面合成後の映像信号をリサイズするための後置リサイザ５２とを備えている。
【００１５】
第１ウィンドウ処理部において、４３は入力映像信号を選択するためのセレクタ、４４はＩ／Ｐ変換前に入力信号を拡大／縮小するための前置リサイザ、４５は映像信号を蓄積するためのフレームメモリ、４６はフレームメモリ４５の読み書きを制御するメモリ制御装置、４７はフレームメモリ４５に蓄積された複数の画像フレームから映像の動きを検出する動き検出装置、４８は映像信号の時間的推移を考慮に入れたＩ／Ｐ変換を行うための三次元Ｉ／Ｐ変換器、４９は映像信号の時間的推移を考慮しないＩ／Ｐ変換を行うための二次元Ｉ／Ｐ変換器、５０は三次元Ｉ／Ｐ変換出力と二次元Ｉ／Ｐ変換出力とのいずれかを選択するため又はこれらの映像を混合するためのブレンダ／セレクタ、５３は表示デバイス上のウィンドウサイズを入力するためのウィンドウサイズ入力装置、５４はオーバースキャン率を入力するためのオーバースキャン設定入力装置、５５は入力されたウィンドウサイズ及びオーバースキャン率を元にリサイズ率を算出して前置リサイザ４４等を制御するためのリサイズ制御装置である。
【００１６】
第２ウィンドウ処理部５６〜６６は、第１ウィンドウ処理部４３〜５０，５３〜５５と同等の構成を有する。
【００１７】
図１の実施形態に示すように、ビデオデコーダ４１又はＡ／Ｄ変換器４２によって生成された映像信号は、第１ウィンドウ処理部においてセレクタ４３により選択され、いずれか一方のみ前置リサイザ４４に入力される。リサイズ制御装置５５は、ウィンドウサイズ入力装置５３及びオーバースキャン設定入力装置５４から入力されたフォーマット情報に基づいて、前置リサイザ４４に入力された映像信号のリサイズ率を算出する。前置リサイザ４４に入力された映像信号は、リサイズ制御装置５５で算出されたリサイズ率に応じて前置リサイザ４４により拡大又は縮小され、フレームメモリ４５に蓄積される。
【００１８】
ここで、三次元Ｉ／Ｐ変換器４８に対して過去の映像信号と現在の映像信号との間の相関が著しく低い映像信号が入力された場合、時間的推移を考慮してプログレッシブ信号を生成すると過去の映像信号が誤り信号として作用し、映像品位が劣化する。そこで、二次元Ｉ／Ｐ変換器４９で現在の映像信号のみを用いてプログレッシブ信号を生成しておき、動き検出装置４７で検出された過去から現在に至る映像信号群の相関情報に基づいて、ブレンダ／セレクタ５０が三次元Ｉ／Ｐ変換器４８及び二次元Ｉ／Ｐ変換器４９で生成されたプログレッシブ信号を適切な割合でブレンドし又はいずれか一方を選択する。
【００１９】
つまり、三次元Ｉ／Ｐ変換器４８は、現在入力された映像信号に加えてフレームメモリ４５に蓄積された過去の映像信号との相関を用いて映像の動きを考慮した三次元Ｉ／Ｐ変換を行いプログレッシブ信号を生成する。一方、二次元Ｉ／Ｐ変換器４９は、現在入力された映像のみを用いてＩ／Ｐ変換を行いプログレッシブ信号を生成する。このため、三次元Ｉ／Ｐ変換器４８は、二次元Ｉ／Ｐ変換器４９に比べて動きを考慮したスムーズなプログレッシブ信号を生成することができる一方、映像信号のリサイズ操作や切り出し操作等の入力映像信号に含まれていない操作が加わり、これを映像信号自体の動きであると誤認識することで予期しない映像信号の乱れを引き起こすことになる。すなわち、ユーザがウィンドウサイズ入力装置５３及びオーバースキャン設定入力装置５４を介してウィンドウサイズやオーバースキャン率の連続的な変更を指示したとき、これらの連続的な変化は、三次元Ｉ／Ｐ変換器４８において意図しない予測不能な時間的相関の追加を引き起こし、映像信号に含まれている本来の動き情報の抽出を阻害することになり、映像品位を劣化させてしまう。
【００２０】
このような課題を解決するため、本発明に係る映像表示装置は、リサイズ制御装置５５を備え、ウィンドウサイズやオーバースキャン率等のフォーマット情報の時間的変化を監視することにより、前置リサイザ４４のリサイズ率やメモリ制御装置４６の切り出し位置の連続的な変化を検出することができる。このような連続的な変化を検出した場合、ブレンダ／セレクタ５０に対して、二次元Ｉ／Ｐ変換器４９によって現在の映像信号のみを用いて生成されたプログレッシブ信号を強制的に選択するか、あるいは三次元Ｉ／Ｐ変換器４８と二次元Ｉ／Ｐ変換器４９とのブレンド率を操作することにより、過去の映像信号との相関を弱めることにより、映像品位の劣化を軽減することができる。また、動き検出装置４７が抽出した映像の動き情報に対して、リサイズ制御装置５５によって得られたフォーマット情報の時間的変化を考慮することにより、映像信号に対して付加された動き情報を除去し、映像信号本来の動き情報を正確に復元することができる。これにより、映像品位の劣化を軽減することができる。
【００２１】
なお、フォーマット情報の連続的変化の情報は、Ｉ／Ｐ変換だけでなく、ノイズリダクションやフレーム補間等、映像信号の時間的相関を利用する機構において後天的に追加された操作による悪影響を軽減するためにも利用することができる。例えば、フォーマット情報の連続的な変化を検出した場合には、フレームメモリ４５，５８の蓄積フレーム枚数を変更する。あるいは、フォーマット情報の連続的な変化を検出した場合には、フレームメモリ４５，５８への書き込みアドレスの制御方法を変更する。
【産業上の利用可能性】
【００２２】
以上説明してきたとおり、本発明に係る映像表示装置は、映像品質の劣化を軽減して動的ウィンドウ制御の導入を容易にすることができ、ＴＶ放送受像機等として有用である。
【符号の説明】
【００２３】
４１  ビデオデコーダ
４２  Ａ／Ｄ変換器
４３，５６  セレクタ
４４，５７  前置リサイザ
４５，５８  フレームメモリ
４６，５９  メモリ制御装置
４７，６０  動き検出装置
４８，６１  三次元Ｉ／Ｐ変換器
４９，６２  二次元Ｉ／Ｐ変換器
５０，６３  ブレンダ／セレクタ
５１  二画面合成装置
５２  後置リサイザ
５３，６４  ウィンドウサイズ入力装置
５４，６５  オーバースキャン設定入力装置
５５、６６  リサイズ制御装置
【図１】
2010252187.tif 000003